(57)【要約】【課題】作業内容を所定形式で表した作業仕様を効率的に修正することができる仕様修正装置と、コンピュータをそのような仕様修正装置として動作させる仕様修正プログラムを提供する。【解決手段】部品を配置してページの画像を組む際のその部品の使い方を表した作業仕様に対する修正ルールが、その作業仕様を作成する編集者を特定する顧客名に対応づけられて保管される顧客特性保管部６１０と、作業仕様を含む画像ファイルを取得する取得部６２０と、取得部６２０で取得された画像ファイル中の作業仕様に対し、その作業仕様の作成元である編集者の顧客名に対応づけられて顧客特性保管部６１０に保管されている修正ルールに従った修正を施して後段に渡す修正部６３０とを備えた。【選択図】        図７
2007148749.tif 000002
【特許請求の範囲】
【請求項１】
作業内容を所定形式で表した作業仕様に従って作業を行う作業装置に与えられるその作業仕様に対する修正ルールが、その作業仕様を作成する作成元に対応づけられて保管される保管部と、
前記作成元が作成した作業仕様を取得する取得部と、
前記取得部で取得された作業仕様に対し、その作業仕様の作成元に対応づけられて前記保管部に保管されている修正ルールに従った修正を施して前記作業装置に与える修正部とを備えたことを特徴とする仕様修正装置。
【請求項２】
前記作業装置が、ページ上に配置される部品を与えられ、その部品の使い方を表した作業仕様に従ってそのページの画像を組むものであり、
前記修正部が、前記作業仕様が表した部品の使い方を前記修正ルールに従って修正するものであることを特徴とする請求項１記載の仕様修正装置。
【請求項３】
前記作業装置が、ページ上に配置される部品を与えられ、その部品の使い方を表した作業仕様に従ってそのページの画像を組むものであり、
前記作業仕様が、互いに重なりあった部品の色を重ね合わせるオーバプリントを認めるか否かを示すオーバプリント条件を含んだものであり、
前記修正部が、前記オーバプリント条件を前記修正ルールに従って修正するものであることを特徴とする請求項１記載の仕様修正装置。
【請求項４】
前記作業装置が、ページ上に配置される部品を与えられ、その部品の使い方を表した作業仕様に従ってそのページの画像を組むものであり、
前記作業仕様が、他の部品が上に重なった部分については縁を残して削除するトラッピングについて縁の大きさを示すトラッピング条件を含んだものであり、
前記修正部が、前記トラッピング条件を前記修正ルールに従って修正するものであることを特徴とする請求項１記載の仕様修正装置。
【請求項５】
前記作業装置が、ページ上に配置される部品を与えられ、その部品の使い方を表した作業仕様に従ってそのページの画像を組むものであり、
前記作業仕様が、互いに重なりあった部品の色を重ね合わせるオーバプリントについて、上側の部品の色の透明度を示す透明度条件を含んだものであり、
前記修正部が、前記透明度条件を前記修正ルールに従って修正するものであることを特徴とする請求項１記載の仕様修正装置。
【請求項６】
前記作業装置が、ページ上に配置される部品を与えられ、その部品の使い方を表した作業仕様に従ってそのページの画像を組むものであり、
前記作業仕様が、部品の色を変換する色変換の内容を示す色変換条件を含んだものであり、
前記修正部が、前記色変換条件を前記修正ルールに従って修正するものであることを特徴とする請求項１記載の仕様修正装置。
【請求項７】
前記作業装置が、ページ上に配置される部品を与えられ、その部品の使い方を表した作業仕様に従ってそのページの画像を組むものであり、
前記作業仕様が、文字を表した部品における文字の体裁を示す文字体裁条件を含んだものであり、
前記修正部が、前記文字体裁条件を前記修正ルールに従って修正するものであることを特徴とする請求項１記載の仕様修正装置。
【請求項８】
前記作業装置が、ページ上に配置される部品を与えられ、その部品の使い方を表した作業仕様に従ってそのページの画像を組むものであり、
前記作業仕様が、文字を表した部品に対して誤字脱字を修正するか否かを示す誤字脱字修正条件を含んだものであり、
前記修正部が、前記誤字脱字修正条件を前記修正ルールに従って修正するものであることを特徴とする請求項１記載の仕様修正装置。
【請求項９】
前記作業装置が、画像の用紙への出力形態を表した作業仕様に従って画像を用紙に出力するものであり、
前記作業仕様が、前記用紙に対して画像の向きを回転させる回転条件を含んだものであり、
前記修正部が、前記回転条件を前記修正ルールに従って修正するものであることを特徴とする請求項１記載の仕様修正装置。
【請求項１０】
作業内容を所定形式で表した作業仕様に従って作業を行う作業装置に与えられるその作業仕様を取得する取得部と、
前記作業仕様に対する修正ルールがその作業仕様を作成する作成元に対応づけられて保管される保管部に、前記取得部で取得された作業仕様に対応づけられて保管されている修正ルールに従った修正を、その取得された作業仕様に対して施して前記作業装置に与える修正部とを構築することを特徴とする仕様修正プログラム。
【発明の詳細な説明】
【技術分野】
【０００１】
本発明は、作業内容を所定形式で表した作業仕様を修正する仕様修正装置と、コンピュータをそのような仕様修正装置として動作させる仕様修正プログラムとに関する。
【背景技術】
【０００２】
近年では、印刷分野も電子化が進んでおり、編集者が印刷物のページを編集用のコンピュータ上で編集し、そのページ上における文字や写真などの配置位置が確定された状態のページの画像を表した画像ファイルを原稿として用いるという形態が普及している。
【０００３】
編集者がページを編集して作成される画像ファイルは、例えばＰＤＦ（Ｐｏｒｔａｂｌｅ  Ｄｏｃｕｍｅｎｔ  Ｆｏｒｍａｔ）などといった、ページがページ記述言語で記述された形式のものが一般的であり、また、印刷業者が使っている画像形成システムは、このような形式の画像ファイルに従って画像形成を行なうものが一般的である。
【０００４】
また、このような電子化は印刷物の校正にも適用されるようになってきており、従来は、校正用の印刷物に編集者がペン等で直接書き込むことで行なわれていた修正指示を、編集者がコンピュータ上で行なうという技術が提案されている（例えば、特許文献１参照。）。
【特許文献１】特開２０００−２９３５９７号公報
【発明の開示】
【発明が解決しようとする課題】
【０００５】
ところで、上記のような画像ファイルは、ページ上に配置される画像部品や文字部品を表わした部品データや、各部品の配置を表わした配置データや、ページの画像を組むに当たっての部品の使い方を表わした作業仕様等で構成される。
【０００６】
ここで、編集者から入稿される画像ファイルの中には、ページ記述言語を扱うアプリケーションツールの操作に編集者が慣れていないために、上記の作業仕様が誤って記述されているものがある。このような誤った作業仕様の大部分は、入稿を受けた印刷業者側で明らかにおかしいと判断されるものであることが多く、このような作業仕様については、印刷業者の判断で修正されることが多い。
【０００７】
このような修正作業は、今のところ、オペレータが、上記の画像ファイルの内容を一つ一つ確認して誤った箇所を探し出すことで行なわれている。このような作業は非常に手間が掛るものであり、印刷業者側での作業効率の低下を招いている。
【０００８】
また、ここまで、編集者から入稿される画像ファイルに対する印刷業者での修正作業を例に上げ、その修正作業ついての作業効率の低下という問題について説明したが、このような問題は、作業内容を所定形式で表した作業仕様に従って作業を行う作業装置に与えられるその作業仕様に対する修正を行なう場合に一般的に生じる問題である。
【０００９】
本発明は、上記事情に鑑み、作業内容を所定形式で表した作業仕様を効率的に修正することができる仕様修正装置と、コンピュータをそのような仕様修正装置として動作させる仕様修正プログラムを提供することを目的とする。
【課題を解決するための手段】
【００１０】
上記目的を達成する本発明の仕様修正装置は、作業内容を所定形式で表した作業仕様に従って作業を行う作業装置に与えられるその作業仕様に対する修正ルールが、その作業仕様を作成する作成元に対応づけられて保管される保管部と、
上記作成元が作成した作業仕様を取得する取得部と、
上記取得部で取得された作業仕様に対し、その作業仕様の作成元に対応づけられて上記保管部に保管されている修正ルールに従った修正を施して上記作業装置に与える修正部とを備えたことを特徴とする。
【００１１】
ここで、本発明の仕様修正装置において、「上記作業装置が、ページ上に配置される部品を与えられ、その部品の使い方を表した作業仕様に従ってそのページの画像を組むものであり、
上記修正部が、上記作業仕様が表した部品の使い方を上記修正ルールに従って修正するものである」という形態は典型的な形態である。
【００１２】
本発明の仕様修正装置によれば、例えばある作成元が作業仕様中で決まって間違う箇所についての修正内容を上記修正ルールとして上記保管部に保管しておけば、その作業仕様が、その作業仕様の作成元に対応付けられている修正ルールに基いて自動的に修正される。ここで、編集者から入稿される画像ファイル等に含まれる作業仕様における誤りの箇所や内容は、一般に、編集者毎、即ち作業仕様の作成元毎に概ね決まっていることが多い。つまり、本発明の仕様修正装置によれば、作業内容を所定形式で表した作業仕様を効率的に修正することができる。
【００１３】
また、本発明の仕様修正装置において、「上記作業装置が、ページ上に配置される部品を与えられ、その部品の使い方を表した作業仕様に従ってそのページの画像を組むものであり、
上記作業仕様が、互いに重なりあった部品の色を重ね合わせるオーバプリントを認めるか否かを示すオーバプリント条件を含んだものであり、
上記修正部が、上記オーバプリント条件を上記修正ルールに従って修正するものである」という形態や、
「上記作業装置が、ページ上に配置される部品を与えられ、その部品の使い方を表した作業仕様に従ってそのページの画像を組むものであり、
上記作業仕様が、他の部品が上に重なった部分については縁を残して削除するトラッピングについて縁の大きさを示すトラッピング条件を含んだものであり、
上記修正部が、上記トラッピング条件を上記修正ルールに従って修正するものである」という形態や、
「上記作業装置が、ページ上に配置される部品を与えられ、その部品の使い方を表した作業仕様に従ってそのページの画像を組むものであり、
上記作業仕様が、互いに重なりあった部品の色を重ね合わせるオーバプリントについて、上側の部品の色の透明度を示す透明度条件を含んだものであり、
上記修正部が、上記透明度条件を上記修正ルールに従って修正するものである」という形態や、
「上記作業装置が、ページ上に配置される部品を与えられ、その部品の使い方を表した作業仕様に従ってそのページの画像を組むものであり、
上記作業仕様が、部品の色を変換する色変換の内容を示す色変換条件を含んだものであり、
上記修正部が、上記色変換条件を上記修正ルールに従って修正するものである」という形態や、
「上記作業装置が、ページ上に配置される部品を与えられ、その部品の使い方を表した作業仕様に従ってそのページの画像を組むものであり、
上記作業仕様が、文字を表した部品における文字の体裁を示す文字体裁条件を含んだものであり、
上記修正部が、上記文字体裁条件を上記修正ルールに従って修正するものである」という形態や、
「上記作業装置が、ページ上に配置される部品を与えられ、その部品の使い方を表した作業仕様に従ってそのページの画像を組むものであり、
上記作業仕様が、文字を表した部品に対して誤字脱字を修正するか否かを示す誤字脱字修正条件を含んだものであり、
上記修正部が、上記誤字脱字修正条件を上記修正ルールに従って修正するものである」という形態や、
「上記作業装置が、画像の用紙への出力形態を表した作業仕様に従って画像を用紙に出力するものであり、
上記作業仕様が、上記用紙に対して画像の向きを回転させる回転条件を含んだものであり、
上記修正部が、上記回転条件を上記修正ルールに従って修正するものである」という形態も典型的な形態である。
【００１４】
例えばＰＤＦ等の画像ファイルには、ページ上に配置される部品の使い方や、用紙への出力のさせ方を示す各種条件として、上記オーバプリント条件、上記トラッピング条件、上記透明度条件、上記色変換条件、上記文字体裁条件、上記誤字脱字修正条件、および上記回転条件等が含まれる。これらの条件は、編集に不慣れな編集者が間違う頻度の高いものであり、さらに、その間違い方に、編集者の個性が現れがちなものである。上記の典型的な形態では、画像ファイルについて、これらの条件に対する編集者に応じた修正が自動的に行なわれる。
【００１５】
また、上記目的を達成する本発明の仕様修正プログラムは、作業内容を所定形式で表した作業仕様に従って作業を行う作業装置に与えられるその作業仕様を取得する取得部と、
上記作業仕様に対する修正ルールがその作業仕様を作成する作成元に対応づけられて保管される保管部に、上記取得部で取得された作業仕様に対応づけられて保管されている修正ルールに従った修正を、その取得された作業仕様に対して施して上記作業装置に与える修正部とを構築することを特徴とする。
【００１６】
このような本発明の仕様修正プログラムをコンピュータ内で実行することによって、作業内容を所定形式で表した作業仕様を効率的に修正する仕様修正装置を容易に実現することができる。
【００１７】
なお、本発明にいう仕様修正プログラムについては、ここではその基本形態のみを示すのにとどめるが、これは単に重複を避けるためであり、本発明にいう仕様修正プログラムには、上記の基本形態のみではなく、前述した仕様修正装置の各形態に対応する各種の形態が含まれる。
【発明の効果】
【００１８】
以上、説明したように、本発明によれば、作業内容を所定形式で表した作業仕様を効率的に修正することができる。
【発明を実施するための最良の形態】
【００１９】
以下図面を参照して本発明の実施の形態を説明する。
【００２０】
図１は、本発明の一実施形態が組み込まれた印刷システムを示す図である。
【００２１】
この図１の印刷システムは、オンデマンド印刷を行なうものであり、顧客である編集者が使用する編集装置を構成するコンピュータ４０１，４０２と、受注会社である印刷業者が使用するＲＩＰ装置を構成するコンピュータ１００と、そのＲＩＰ装置において実行されるＲＩＰ処理に関わる諸条件を定義したジョブ定義ファイルを編集するジョブ定義編集装置を構成するコンピュータ２００と、オンデマンド印刷用のプリンタ３００とを備えている。
【００２２】
編集装置では、印刷物を構成するページがデータ上で編集され、ページ上の画像部品を表わす画像部品データや、ページ上の文字部品を表わす文字部品データや、各部品の配置を表わした配置データや、ページの画像を組むに当たっての部品の使い方を表わした作業仕様等で構成される。
【００２３】
図２は、画像ファイルのファイル構造を示す模式図である。
【００２４】
この図２に示すように、画像ファイル４１０は、例えばデジタルカメラによる撮影やスキャナによる読取りで得られた画像、あるいはコンピュータ上で作成されたグラフィック画像等といった画像部品を表わす画像部品データ４１１と、文章等といった文字部品を表わす文字部品データ４１２と、ページ上における各部品の配置を表わす配置データ４１３と、ページの画像を組むに当たっての部品の使い方を表わした作業仕様４１４とで構成されている。画像部品データ４１１が表わす画像部品や文字部品データ４１２が表わす文字部品それぞれは、本発明にいう「ページ上に配置される部品」の一例に相当し、作業仕様４１４は、本発明にいう作業仕様の一例に相当する。
【００２５】
また、この図２には、作業仕様４１４に含まれる各種条件のうち、オーバプリント条件４１４ａと、トラッピング条件４１４ｂと、透明度条件４１４ｃと、色変換条件４１４ｄと、文字体裁条件４１４ｅと、誤字脱字修正条件４１４ｆと、回転条件４１４ｇとが示されている。ここで、オーバプリント条件４１４ａ、トラッピング条件４１４ｂ、透明度条件４１４ｃ、色変換条件４１４ｄ、文字体裁条件４１４ｅ、誤字脱字修正条件４１４ｆ、および回転条件４１４ｇは、それぞれ本発明にいうオーバプリント条件、トラッピング条件、透明度条件、色変換条件、文字体裁条件、誤字脱字修正条件、および回転条件の一例に相当する。
【００２６】
オーバプリント条件４１４ａは、互いに重なりあった部品の色を重ね合わせるオーバプリントを認めるか否かを示すものである。
【００２７】
また、トラッピング条件４１４ｂは、上記のオーバプリント条件４１４ａにおいてオーバプリントが禁止されている場合に有効となるものであり、他の部品が上に重なった部分については縁を残して削除するトラッピングについて縁の大きさを示すものである。このトラッピング条件４１４ｂに従って画像が組まれることにより、他の部品の上に重ねられた部分の周りに不要な隙間ができてしまうことが防がれる。
【００２８】
また、透明度条件４１４ｃは、オーバプリントが許可されている場合に有効となるものであり、上側の部品の色の透明度を示すものである。
【００２９】
また、色変換条件４１４ｄは、例えば、画像部品データ４１１が、レッド（Ｒ）、グリーン（Ｇ）、ブルー（Ｂ）３色のＲＧＢ色空間で色を定義したＲＧＢデータであった場合に、その画像部品データ４１１をＩＣＣ（Ｉｎｔｅｒｎａｔｉｏｎａｌ  Ｃｏｌｏｒ  Ｃｏｎｓｏｒｔｉｕｍ）推奨のＳＲＧＢ色空間で色を定義したＲＧＢデータに変換する等といった色変換の内容を示すものである。
【００３０】
また、文字体裁条件４１４ｅは、文字部品データ４１２が表わす文字について、例えばページ中での文字列の左右端を揃える等といった体裁を示すものである。
【００３１】
また、誤字脱字修正条件４１４ｆは、文字部品データ４１２が表わす文字に対して誤字脱字を修正するか否かを示すものである。
【００３２】
また、回転条件４１４ｇは、用紙に対してページの画像をどのように回転させて出力するかを示すものである。
【００３３】
このような画像ファイルが、図１に示すように、ＣＤ−ＲＯＭ、光ディスク、ＭＯ、フレキシブルディスク（ＦＤ）、磁気テープなどといった持ち運び可能な記憶媒体（リムーバブル媒体）４５１あるいはインターネットを介して印刷業者に入稿される。入稿された画像ファイルは、印刷業者が使用するＲＩＰ装置に入力される。
【００３４】
また、この図１に示す印刷システムでは、編集者は、入稿する画像ファイルに基く印刷をファクシミリ４５２で印刷業者に発注する。また、その際には、例えば、上記の画像部品を得たデジタルカメラやスキャナやコンピュータ等の機種等といった印刷に必要な情報も印刷業者にファクシミリ４５２で伝えられる。
【００３５】
ジョブ定義編集装置では、編集者側からファクシミリ４５２で伝えられた情報等に基いて、後述のＲＩＰ処理の内容を定義したジョブ定義ファイルが編集される。
【００３６】
図３は、ジョブ定義ファイルのファイル構造を示す図である。
【００３７】
この図３に示すように、ジョブ定義ファイル２１０は、画像ファイルを入稿した編集者を特定する顧客名２１１と、編集者側から伝えられた情報等に基くＲＩＰ処理の内容を表わす印刷条件２１２とで構成されている。この印刷条件２１２には、上記の画像部品を得たデジタルカメラやスキャナやコンピュータ等に依存した色定義と、印刷業者側のプリンタ３００に依存した色定義との対応関係や、プリンタ３００での特色の表現の仕方、また、画像における一次色や二次色のプリンタ３００での表現の仕方等といった条件が含まれる。
【００３８】
図１に示すように、ジョブ定義編集装置として動作するコンピュータ２００で作成された上記のようなジョブ定義ファイルは、ＲＩＰ装置として動作するコンピュータ１００に渡される。
【００３９】
このＲＩＰ装置では、まず、入稿された画像ファイルに対して後述の修正が施される。そして、ＲＩＰ装置では、その修正済の画像ファイルを、プリンタ３００用のラスタイメージで画像を表現した画像データ（ラスタデータ）へ変換するＲＩＰ処理が、ジョブ定義編集装置から渡されたジョブ定義ファイルに従って行なわれる。このＲＩＰ処理によって得られたラスタデータはプリンタ３００に送られる。
【００４０】
プリンタ３００は、ＲＩＰ装置からラスタデータが送られてくると、そのラスタデータが表わす画像を出力する。
【００４１】
ここで、図１に示す印刷システムにおける、本発明の仕様修正装置の一実施形態は、このＲＩＰ装置に組み込まれている。そこで、以下では、このＲＩＰ装置を構成するコンピュータ１００に着目して説明を行なう。
【００４２】
このＲＩＰ装置として動作するコンピュータ１００は、ＣＰＵ、主記憶装置、ハードディスク、通信用ボード等が内蔵された本体１０１、この本体１０１からの指示により表示画面上に画像や文字列の表示を行なうＣＲＴディスプレイ１０２、このコンピュータにユーザの指示や文字情報を入力するためのキーボード１０３、上記ＣＲＴディスプレイ１０２の表示画面上の任意の位置を指定することにより、その位置に表示されているアイコン等に応じた指示を入力するマウス１０４を備えている。
【００４３】
本体１０１には、ＣＤ−ＲＯＭ１０５（図１には図示せず；図４参照）やＣＤ−Ｒが取り出し自在に装填され、そのように装填されたＣＤ−ＲＯＭ１０５やＣＤ−Ｒに記憶された情報を再生するＣＤ−ＲＯＭドライブが内蔵されている。また、本体１０１には、光磁気ディスク（ＭＯ）１０６（図１には図示せず；図４参照）が取り出し自在に装填され、そのように装填されたＭＯ１０６に対し情報の記録再生を行なうＭＯドライブも内蔵されている。
【００４４】
図４は、ＲＩＰ装置として動作するコンピュータ１００のハードウェア構成図である。
【００４５】
このハードウェア構成図には、ＣＰＵ（中央演算処理装置）１１１、ＲＡＭ１１２、ＨＤＤ（ハードディスクドライブ）１１３、ＭＯドライブ１１４、ＣＤ−ＲＯＭドライブ１１５、および通信用ボード１１６が示されており、それらはバス１１０で相互に接続されている。
【００４６】
ＨＤＤ１１３は、記録媒体の一種であるハードディスク１２０を内蔵しており、このハードディスク１２０に対し情報の記録再生を行なう。
【００４７】
通信用ボード１１６は、ＬＡＮ（Ｌｏｃａｌ  Ａｒｅａ  Ｎｅｔｗｏｒｋ）等といった通信回線に接続される。ＲＩＰ装置として動作するコンピュータ１００は、この通信用ボード１１６を介して接続される通信網３００によって他のコンピュータシステムとの間でデータの送受信を行なうことができ、プリンタ３００に向けたラスタデータの出力を行なうこともできる。
【００４８】
また、図４には、図示しない複数のＩ／Ｏインタフェースそれぞれを介してバス１１０に接続された、図１にも示したマウス１０４、キーボード１０３、ＣＲＴディスプレイ１０２が示されている。
【００４９】
以上に説明したコンピュータ１００には、このコンピュータ１００を本発明の仕様修正装置の一実施形態が組み込まれたＲＩＰ装置として動作させるＲＩＰプログラムがインストールされる。本実施形態では、ＣＤ−ＲＯＭ１０５にこのＲＩＰプログラムが記憶されている。このＣＤ−ＲＯＭ１０５は本体１０１内に装填され、そのＣＤ−ＲＯＭ１０５に記憶されたＲＩＰプログラムがＣＤ−ＲＯＭドライブ１１５によって読み込まれ、バス１１０を経由してハードディスク１２０内にインストールされる。このハードディスク１２０内にインストールされたＲＩＰプログラムが起動されて実行されると、コンピュータ１００はＲＩＰ装置として動作する。
【００５０】
以下、このコンピュータ１００が構成するＲＩＰ装置について説明する。
【００５１】
図５は、ＲＩＰ装置を示すブロック図である。
【００５２】
この図５に示すＲＩＰ装置５００は、図１に示すコンピュータ１００に、そのコンピュータ１００をＲＩＰ装置５００として動作させるＲＩＰプログラムがインストールされ実行されることで構成されるものであり、媒体読取部５１０と、画像ファイルプール部５２０と、ジョブ定義ファイルプール部５３０と、画像ファイル修正部６００と、ＲＩＰ処理部５４０と、ドライバ部５５０とを備えている。ここで、このＲＩＰ装置５００が備えた画像ファイル修正部６００が、本発明の仕様修正装置の一実施形態に相当する。
【００５３】
また、ＲＩＰ処理部５４０とドライバ部５５０とプリンタ３００とを合わせたものは、図２に示したような作業仕様に従ってページの画像を形成し、最終的にその画像を用紙上に出力するものであり、本発明にいう作業装置の一例に相当する。
【００５４】
媒体読取部５１０では、図１に示したリムーバブル媒体４５１を介して入稿されてきた、図２に示したファイル構造の画像ファイルが読み取られる。読み取られた画像ファイルは、画像ファイルプール部５２０で一時的に保管される。また、インターネットを介して入稿されてきた画像ファイルは、直接にこの画像ファイルプール部５２０に入力されて一時的に保管される。
【００５５】
ジョブ定義ファイルプール部５３０には、図３に示したファイル構造のジョブ定義ファイルが入力され一時的に保管される。
【００５６】
画像ファイル修正部６００では、画像ファイルプール部５２０に保管された画像ファイルに対して後述の修正処理が施される。この画像ファイル修正部６００は、画像ファイルに対して修正処理を施すに当たっては、後述するように、ジョブ定義ファイルプール部５３０に保管されたジョブ定義ファイル中の顧客名に基いた修正処理を施す。
【００５７】
ＲＩＰ処理部５４０では、画像ファイル修正部６００による修正済の画像ファイルが、上記のジョブ定義ファイル中の印刷条件に従ってプリンタ３００用のラスタデータに変換される。この変換によって得られたラスタデータは、ドライバ部５５０によってプリンタ３００に送られる。
【００５８】
以上に説明したＲＩＰ装置５００における、画像ファイル修正部６００を除く各構成要素の詳細については、本発明の主題ではないので説明を省略し、以下では、この画像ファイル修正部６００に注目して説明する。
【００５９】
この画像ファイル修正部６００は、コンピュータ１００をＲＩＰ装置５００として動作させるＲＩＰプログラムに組み込まれた、本発明の仕様修正プログラムの一実施形態である画像修正プログラムが実行されることで構成される。ここで、ＲＩＰプログラムにおける画像修正プログラム以外の部分についても本発明の主題ではないので説明を省略する。
【００６０】
図６は、本発明の仕様修正プログラムの一実施形態である画像修正プログラムを示す模式図である。
【００６１】
この図６には、本発明の仕様修正プログラムの一実施形態である画像修正プログラム７００が記憶されたＣＤ−ＲＯＭ１０５が模式的に示されている。
【００６２】
この画像修正プログラム７００は、コンピュータ１００を上記の画像ファイル修正部６００として動作させるものであり、取得部７１０と、修正部７２０とを有する。この画像修正プログラム７００の各要素の詳細については後述する。
【００６３】
図７は、図５に１つのブロックで示した、本発明の仕様修正装置の一実施形態である画像ファイル修正部６００の詳細を示すブロック図である。
【００６４】
この図７に示す画像ファイル修正部６００は、図６の画像修正プログラム７００が図１のコンピュータ１００にインストールされて実行されることによって構成される。
【００６５】
この画像ファイル修正部６００は、顧客特性保管部６１０と、取得部６２０と、修正部６３０とを有する。
【００６６】
図６の画像修正プログラム７００が、図１のコンピュータ１００にインストールされると、その画像修正プログラム７００の取得部７１０および修正部７２０は、それぞれ図７に示す画像ファイル修正部６００の取得部６２０および修正部６３０を構築する。ここで、これら画像ファイル修正部６００の各要素は、コンピュータのハードウェアとそのコンピュータで実行されるＯＳやアプリケーションプログラムとの組合せで構成されているのに対し、図６の画像修正プログラム７００の各要素は、アプリケーションプログラムのみによって構成されている。
【００６７】
また、この画像ファイル修正部６００における顧客特性保管部６１０、取得部６２０、および修正部６３０は、それぞれ本発明の仕様修正装置における保管部、取得部、および修正部の各一例に相当する。
【００６８】
以下、この図７に示す画像ファイル修正部６００の各要素を説明することによって、図６に示す画像ファイル修正プログラム７００の各要素も併せて説明する。
【００６９】
顧客特性保管部６１０には、図２に示すような画像ファイルの作業仕様に対する修正ルールが、編集者を特定する顧客名に対応付けられて、後述の顧客特性情報として保管されている。
【００７０】
図８は、顧客特性情報の一例を示す図である。
【００７１】
この図８には、顧客特性情報６１１がテーブル形式で記載されている。
【００７２】
ここで、この顧客特性情報６１１では、図２に示すオーバプリント条件４１４ａ、トラッピング条件４１４ｂ、透明度条件４１４ｃ、色変換条件４１４ｄ、文字体裁条件４１４ｅ、誤字脱字条件４１４ｆ、および回転条件４１４ｇという７種類の条件それぞれに対する修正内容が定義されている。これら７種類の条件は、編集者が画像ファイルを作成する際に、誤って記述されることが多いものであり、さらに、その記述の誤り方に編集者の個性が現れがちなものである。そこで、この顧客特性情報６１１では、これらの条件に対する修正内容が、編集者別に定義されている。
【００７３】
この顧客特性情報６１１は、顧客名情報６１１ａと、上記の７種類の条件それぞれに対する修正内容を表わす、オーバプリント条件修正情報６１１ｂ、トラッピング条件修正情報６１１ｃ、透明度条件修正情報６１１ｄ、色変換条件修正情報６１１ｅ、文字体裁修正情報６１１ｆ、誤字脱字修正情報６１１ｇ、および回転条件修正情報６１１ｈという７種類の修正情報とからなる。
【００７４】
オーバプリント条件修正情報６１１ｂは図２に示すオーバプリント条件４１４ａに対する修正内容を表わすものであり、トラッピング条件修正情報６１１ｃはトラッピング条件４１４ｂに対する修正内容を表わすものであり、透明度条件修正情報６１１ｄは透明度条件４１４ｃに対する修正内容を表わすものであり、色変換条件修正情報６１１ｅは色変換条件４１４ｄに対する修正内容を表わすものであり、文字体裁修正情報６１１ｆは文字体裁条件４１４ｅに対する修正内容を表わすものであり、誤字脱字修正情報６１１ｇは誤字脱字条件４１４ｆに対する修正内容を表わすものであり、回転条件修正情報６１１ｈは回転条件４１４ｇに対する修正内容を表わすものである。
【００７５】
顧客特性情報６１１では、これら７種類の修正情報が、顧客名情報６１１ａ中の顧客名別に記述されている。ここで、この顧客特性情報６１１における７種類の修正情報それぞれが、本発明にいう修正ルールの一例に相当する。
【００７６】
この図８には、「Ａプロダクション」という顧客名の編集者がオーバプリント条件以外の６条件を間違いがちであり、「Ｂ出版」という顧客名の編集者がオーバプリント条件と透明度条件と回転条件とを間違いがちであり、「Ｃ広告製作」という顧客名の編集者がオーバプリント条件と色変換条件と誤字脱字修正条件とを間違いがちであることが印刷業者において把握されている場合の顧客特性情報６１１が示されている。
【００７７】
即ち、この顧客特性情報６１１では、「Ａプロダクション」という顧客名に対して、オーバプリント条件以外の６条件について修正する旨が修正内容とともに記述され、オーバプリント条件については入稿された画像ファイルにおける記述を有効とする旨が記述されている。同様に、「Ｂ出版」という顧客名に対しては、オーバプリント条件と透明度条件と回転条件について修正する旨が修正内容とともに記述され、他の４条件について画像ファイルにおける記述を有効とする旨が記述されている。また、「Ｃ広告製作」という顧客名に対しては、オーバプリント条件と色変換条件と誤字脱字修正条件について修正する旨が修正内容とともに記述され、他の４条件について画像ファイルにおける記述を有効とする旨が記述されている。
【００７８】
以上に説明した顧客特性データ６１１が、図７の顧客特性保管部６１０に保管されている。また、この顧客特性保管部６１０内の顧客特性データ６１１は、印刷業者によって適宜に更新される。
【００７９】
図７の取得部６２０では、図５に示す画像ファイルプール部５２０から、画像ファイルが取得され、さらに、ジョブ定義ファイルプール部５３０内のジョブ定義ファイルから、その画像ファイルを入稿した編集者の顧客名が抽出される。そして、両者は共に修正部６３０に送られる。
【００８０】
修正部６３０では、まず、取得部６２０から渡された顧客名を使って顧客特性保管部６１０内の顧客特性データ６１１が検索され、その顧客名に対応している修正ルールを表わす修正情報が、その顧客特性データ６１１から抽出される。そして、抽出された修正情報が表わす修正ルールに従って画像ファイルが修正される。
【００８１】
修正済の画像ファイルは、図５に示すＲＩＰ処理部に渡された後、上述したように、ジョブ定義ファイル中の印刷条件に従ったＲＩＰ処理によってラスタデータに変換され、その変換で得られたラスタデータがプリンタ３００に送られる。
【００８２】
以上に説明したように、印刷業者側のＲＩＰ装置に組み込まれている、本発明の仕様修正装置の一実施形態である画像ファイル修正部６００によれば、編集者毎に概ね決まっている、作業仕様中の誤りが、上記の顧客特性データ６１１に基いて自動的に修正される。つまり、この画像ファイル修正部６００によれば、編集者から入稿される画像ファイル中の作業仕様が効率的に修正される。
【００８３】
尚、上記では、本発明にいう修正ルールの一例として、オーバプリント条件修正情報６１１ｂ、トラッピング条件修正情報６１１ｃ、透明度条件修正情報６１１ｄ、色変換条件修正情報６１１ｅ、文字体裁修正情報６１１ｆ、誤字脱字修正情報６１１ｇ、および回転条件修正情報６１１ｈという７種類の修正情報を合わせたものを例示したが、本発明はこれに限るものではない。本発明にいう修正ルールは、例えば、これら７種類以外の修正情報を含む、７種類よりも多くの種類の修正情報からなるものであっても良く、あるいは、これら７種類以外の修正情報の一部の、７種類よりも少ない種類の修正情報からなるものであっても良く、あるいは、これら７種類とは別の複数種類の修正情報からなるものであっても良い。
【図面の簡単な説明】
【００８４】
【図１】本発明の一実施形態が組み込まれた印刷システムを示す図である。
【図２】画像ファイルのファイル構造を示す模式図である。
【図３】ジョブ定義ファイルのファイル構造を示す図である。
【図４】ＲＩＰ装置として動作するコンピュータ１００のハードウェア構成図である。
【図５】ＲＩＰ装置を示すブロック図である。
【図６】本発明の仕様修正プログラムの一実施形態である画像修正プログラムを示す模式図である。
【図７】図５に１つのブロックで示した、本発明の仕様修正装置の一実施形態である画像ファイル修正部６００の詳細を示すブロック図である。
【図８】顧客特性情報の一例を示す図である。
【符号の説明】
【００８５】
１００    ＲＩＰ装置を構成するコンピュータ
１０１    本体
１０２    ＣＲＴディスプレイ
１０３    キーボード
１０４    マウス
１０５    ＣＤ−ＲＯＭ
１０６    ＭＯ
１１０    バス
１１１    ＣＰＵ
１１２    ＲＡＭ
１１３    ＨＤＤ
１１４    ＭＯドライブ
１１５    ＣＤ−ＲＯＭドライブ
１１６    通信用ボード
１２０    ハードディスク
２００    ジョブ定義編集装置を構成するコンピュータ
２１０    ジョブ定義ファイル
２１１    顧客名
２１２    印刷条件
３００    プリンタ
４０１，４０２    編集装置を構成するコンピュータ
４１０    画像ファイル
４１１    画像部品データ
４１２    文字部品データ
４１３    配置データ
４１４    作業仕様
４１４ａ    オーバプリント条件
４１４ｂ    トラッピング条件
４１４ｃ    透明度条件
４１４ｄ    色変換条件
４１４ｅ    文字体裁条件
４１４ｆ    誤字脱字修正条件
４１４ｇ    回転条件
４５１    リムーバブル媒体
４５２    ファクシミリ
５００    ＲＩＰ装置
５１０    媒体読取部
５２０    画像ファイルプール部
５３０    ジョブ定義ファイルプール部
５４０    ＲＩＰ処理部
５５０    ドライバ部
６００    画像ファイル修正部
６１０    顧客特性保管部
６１１    顧客特性情報
６１１ａ    顧客名情報
６１１ｂ    オーバプリント条件修正情報
６１１ｃ    トラッピング条件修正情報
６１１ｄ    透明度条件修正情報
６１１ｅ    色変換条件修正情報
６１１ｆ    文字体裁修正情報
６１１ｇ    誤字脱字修正情報
６１１ｈ    回転条件修正情報
６２０    取得部
６３０    修正部
７００    画像修正プログラム
７１０    取得部
７２０    修正部
【図１】
2007148749.tif 000003
【図２】
2007148749.tif 000004
【図３】
2007148749.tif 000005
【図４】
2007148749.tif 000006
【図５】
2007148749.tif 000007
【図６】
2007148749.tif 000008
【図７】
2007148749.tif 000009
【図８】
2007148749.tif 000010